(57)【要約】【課題】  ソフトウエアのインストールによって保守員が意図しない設定に書き換えられることを防止することができる保守端末、データインストール方法、及び、データインストール用のプログラムを提供する。【解決手段】  実施形態によれば、保守端末は、インターフェースと、抽出部と、表示部と、操作部と、インストール実行部とを有する。インターフェースは、データをインストールする機器に接続する。抽出部は、前記機器にインストールするデータに含まれる更新値と前記機器に記憶されている現在値とが異なる差異項目を抽出する。表示部は、前記抽出部により抽出した更新値と現在値とが異なる差異項目を表示する。操作部は、前記表示部に表示した差異項目について更新値および現在値の何れかを選択する指示を受付ける。インストール実行部は、前記操作部により指示された値で前記データを前記機器にインストールする。【選択図】      図３
2018060358.tif 000002
【特許請求の範囲】
【請求項１】
データをインストールする機器に接続するインターフェースと、
前記機器にインストールするデータに含まれる更新値と前記機器に記憶されている現在値とが異なる差異項目を抽出する抽出部と、
前記抽出部により抽出した更新値と現在値とが異なる差異項目を表示する表示部と、
前記表示部に表示した差異項目について更新値および現在値の何れかを選択する指示を受付ける操作部と、
前記操作部により指示された値で前記データを前記機器にインストールするインストール実行部と、
を有する保守端末。
【請求項２】
前記表示部は、前記抽出部が抽出した差異項目を一覧で表示し、各差異項目については更新値と現在値とを対応づけて表示するとともに更新値と現在値との何れか一方を選択中であることを示す表示状態で表示する、
請求項１に記載の保守端末。
【請求項３】
前記表示部は、前記差異項目の表示の終了が指示された場合、前記表示部に表示していない差異項目があれば未表示の差異項目が存在する旨の案内を表示する、
請求項１又は２の何れかに記載の保守端末。
【請求項４】
前記表示部は、前記差異項目の表示の終了が指示された後、前記差異項目について選択された選択値でのインストールを指示する第１の釦と更新値でのインストールを指示する第２の釦と現在値でのインストールを指示する第３の釦とを表示し、
前記操作部は、前記第１の釦、前記第２の釦、又は、前記第３の釦の何れか釦への指示を受付け、
前記インストール実行部は、前記操作部により指示された釦に応じた値で前記データのインストールを実行する、
請求項１乃至３の何れか１項に記載の保守端末。
【請求項５】
保守端末がインターフェースを介して接続される機器にデータをインストールするためのデータインストール方法であって、
前記機器にインストールするデータに含まれる更新値と前記機器に記憶されている現在値とが異なる差異項目を抽出し、
前記抽出した更新値と現在値とが異なる差異項目を表示部に表示し、
前記表示部に表示した差異項目について更新値および現在値の何れかを選択する指示を受付け、
前記指示された値で前記データを前記機器にインストールする、
を有するデータインストール方法。
【請求項６】
前記表示部には前記抽出した差異項目を一覧で表示し、
前記一覧における各差異項目については更新値と現在値とを対応づけて表示するとともに更新値と現在値との何れか一方を選択中であることを示す表示状態で表示する、
請求項５に記載のデータインストール方法。
【請求項７】
前記差異項目の表示の終了が指示された場合、前記表示部に表示していない差異項目があれば未表示の差異項目が存在する旨の案内を表示する、
請求項５又は６の何れかに記載のデータインストール方法。
【請求項８】
前記差異項目の表示の終了が指示された後、前記差異項目について選択された選択値でのインストールを指示する第１の釦と更新値でのインストールを指示する第２の釦と現在値でのインストールを指示する第３の釦とを表示し、
前記第１の釦、前記第２の釦、及び前記第３の釦の何れか釦への指示を受付け、
前記第１の釦、前記第２の釦、及び前記第３の釦のうち指示された釦に応じた設定値で前記データのインストールを実行する、
請求項５乃至７の何れか１項に記載のデータインストール方法。
【請求項９】
コンピュータがインターフェースを介して接続される機器にデータをインストールするためのデータインストール用のプログラムであって、
前記コンピュータに、
前記機器にインストールするデータに含まれる更新値と前記機器に記憶されている現在値とが異なる差異項目を抽出する機能と、
前記抽出した更新値と現在値とが異なる差異項目を表示部に表示する機能と、
前記表示部に表示した差異項目について更新値および現在値の何れかを選択する指示を受付ける機能と、
前記指示された値で前記データを前記機器にインストールする機能と、
を実行させるデータインストール用のプログラム。
【請求項１０】
前記表示する機能は、前記抽出した差異項目を一覧で表示し、前記一覧における各差異項目については更新値と現在値とを対応づけて表示するとともに更新値と現在値との何れか一方を選択中であることを示す表示状態で表示する、
請求項９に記載のデータインストール用のプログラム。
【請求項１１】
前記差異項目の表示の終了が指示された場合、前記表示部に表示していない差異項目があれば未表示の差異項目が存在する旨の案内を表示する機能をさらにコンピュータに実行させる、
請求項９又は１０の何れかに記載のデータインストール用のプログラム。
【請求項１２】
前記差異項目の表示の終了が指示された後、前記差異項目について選択された選択値でのインストールを指示する第１の釦と更新値でのインストールを指示する第２の釦と現在値でのインストールを指示する第３の釦とを表示する機能と、
前記第１の釦、前記第２の釦、及び前記第３の釦の何れか釦への指示を受付ける機能と、をさらにコンピュータに実行させ、
前記インストールする機能は、前記第１の釦、前記第２の釦、及び前記第３の釦のうち指示された釦に応じた値で前記データのインストールを実行する、
請求項９乃至１１の何れか１項に記載のデータインストール用のプログラム。
【発明の詳細な説明】
【技術分野】
【０００１】
本発明の実施形態は、保守端末、データインストール方法、及び、データインストール用のプログラムに関する。
【背景技術】
【０００２】
従来、機器の動作制御をソフトウエアで実行する制御装置に対しては、保守端末を用いてソフトウエアの改造（更新）を行うことがある。例えば、車両の通行を制御しつつ、料金を収受するＥＴＣシステムは、様々なプログラムにより動作制御される各種の機器によって通行制御及び料金収受等の処理を実現している。ＥＴＣシステムは、通用制御用のバーの開閉、無線通信のタイミング、及び、案内表示などを設定値に従って制御する車線制御装置を有する。これらの設定値は、設置環境又は運用方針などに応じて様々な設定が有りうる。ＥＴＣシステムの実際の運用においては、各料金収受所（料金所）の保守員が状況に応じて設定値を変更することがある。
【０００３】
一方、ＥＴＣシステムの車線制御装置などの装置は、ソフトウエアのインストールによる改造が生じることがある。例えば、従来のＥＴＣシステムでは、車線制御装置に保守端末を接続し、保守端末からプログラム及び制御データなどを上書きすることによりソフト的な改造（ソフトウエアのインストール）作業を実施している。このような従来のインストール作業では、保守員が現地の状態に応じて設定（変更）した設定値が上書きされることがある。
【先行技術文献】
【特許文献】
【０００４】
【特許文献１】特開２００６−８５２９７号公報（特許第４８６５０２０２号）
【発明の概要】
【発明が解決しようとする課題】
【０００５】
上記のように、従来、料金収受システムの車線制御装置などの装置では、ソフトウエアのインストールによって現地の状況に応じて設定した設定値が保守員の意図しない設定値に書き換わってしまうことがあるという課題がある。  
本発明は、上記課題を解決するものであり、ソフトウエアのインストールによって保守員が意図しない設定に書き換えられることを防止することができる保守端末、データインストール方法、及び、データインストール用のプログラムを提供することを目的とする。
【課題を解決するための手段】
【０００６】
実施形態によれば、保守端末は、インターフェースと、抽出部と、表示部と、操作部と、インストール実行部とを有する。インターフェースは、データをインストールする機器に接続する。抽出部は、前記機器にインストールするデータに含まれる更新値と前記機器に記憶されている現在値とが異なる差異項目を抽出する。表示部は、前記抽出部により抽出した更新値と現在値とが異なる差異項目を表示する。操作部は、前記表示部に表示した差異項目について更新値および現在値の何れかを選択する指示を受付ける。インストール実行部は、前記操作部により指示された値で前記データを前記機器にインストールする。
【図面の簡単な説明】
【０００７】
【図１】図１は、実施形態に係る保守端末が接続される車線制御装置を含む料金収受システムの構成例を示す平面図である。
【図２】図２は、実施形態に係る保守端末が接続される車線制御装置を含む料金収受システムの構成例を示すブロック図である。
【図３】図３は、実施形態に係る保守端末の構成例を示すブロック図である。
【図４】図４は、実施形態に係る保守端末によるファイルのインストール処理の流れを説明するためのフローチャートである。
【図５】図５は、実施形態に係る保守端末によるファイルのインストール処理の流れを説明するためのフローチャートである。
【図６】図６は、実施形態に係る保守端末によるファイルのインストール処理の流れを説明するためのフローチャートである。
【図７】図７は、実施形態に係る保守端末によるファイルのインストール処理の流れを説明するためのフローチャートである。
【図８】図８は、実施形態に係る保守端末によるインストール処理中に表示部に表示するインストール画面の第１の表示例である。
【図９】図９は、実施形態に係る保守端末によるインストール処理中に表示部に表示するインストール画面の第２の表示例である。
【図１０】図１０は、実施形態に係る保守端末によるインストール処理中に表示部に表示するインストール画面の第３の表示例である。
【図１１】図１１は、実施形態に係る保守端末によるインストール処理中に表示部に表示するインストール画面の第４の表示例である。
【図１２】図１２は、実施形態に係る保守端末によるインストール処理中に表示部に表示するインストール画面の第５の表示例である。
【図１３】図１３は、実施形態に係る保守端末によるインストール処理中に表示部に表示するインストール画面の第６の表示例である。
【図１４】図１４は、実施形態に係る保守端末によるインストール処理中に表示部に表示するインストール画面の第７の表示例である。
【図１５】図１５は、実施形態に係る保守端末によるインストール処理中に表示部に表示するインストール画面の第８の表示例である。
【図１６】図１６は、実施形態に係る保守端末によるインストール処理中に表示部に表示するインストール画面の第９の表示例である。
【図１７】図１７は、実施形態に係る保守端末によるインストール処理中に表示部に表示するインストール画面の第１０の表示例である。
【図１８】図１８は、実施形態に係る保守端末によるインストール処理中に表示部に表示するインストール画面の第１１の表示例である。
【発明を実施するための形態】
【０００８】
以下、実施形態について、図面を参照しつつ説明する。  
本実施形態では、保守端末が接続される装置の一例としての車線制御装置を含む料金収受（ＥＴＣ）システムについて説明する。ＥＴＣシステムは、車両の通行を制御しつつ、料金を収受するシステムである。ＥＴＣシステムにおいて、車両の通行制御及び料金収受などの処理は、様々なプログラムにより動作する車線制御装置によって制御される。ＥＴＣシステムの車線制御装置は、バーの開閉、無線通信および案内表示などを設定値に従って制御する。このような車線制御装置のプログラム及び設定情報は、保守端末によりソフトウエア的な改造（ソフトインストール）作業が実施される。
【０００９】
一方、ＥＴＣシステムにおいては、設置環境や運用方針などに応じた運用ができるように、車線制御装置が動作制御を行うための設定値を保守員が変更できる。例えば、料金収受所（料金所）の保守員は、ＥＴＣシステムにおける車線制御装置などの装置に保守端末を接続し、保守端末を用いて各種の設定値を変更することができる。  
以下に説明する実施形態に係る保守端末は、車線制御装置などの装置にソフトウエアをインスールする作業において、インストール作業を実行する作業員に、更新用の設定値（更新値）と既存の設定値（現在値）との差異を報知する機能を有する。また、以下に説明する実施形態に係る保守端末は、ソフトウエアのインスール作業において、更新値と現在値とに差異がある項目について、更新値又は現在値の何れかを作業員が選択できる機能を有する。
【００１０】
図１は、実施形態に係る保守端末が接続される車線制御装置を有する料金収受システムの構成例を示す平面図である。図１は、有料道路の料金所などの料金収受所１に設置される各機器（料金所機器）の設置例を示す。また、図２は、実施形態に係る料金収受システムを構成する各機器間の接続例を示す図である。図２は、個々のレーン用に設置される各機器間の接続関係を示している。
【００１１】
図１に示す構成例において、料金収受所１は、車両が通行するための２つのレーン（車線）２、３を有する。レーン２、３は、搭載される車載器との無線通信により料金を決済する車両（ＥＴＣ車両と称する）と人的な操作によって料金を決済する車両（一般車両と称する）とが通行可能なＥＴＣ／一般が混在する運用であるものとする。なお、レーン２、３は、何れか一方又は両方がＥＴＣ車両のみの通行を許可するＥＴＣ専用レーンであっても良い。
【００１２】
各レーン２、３は、アイランド４、５、６により形成される。レーン２、３の出口側には、それぞれ開閉動作が可能なバー７（７ａ、７ｂ）が配置される。バー７は、閉鎖した状態において車両の通過（レーンからの退出）を物理的に阻止し、開放した状態において車両の通過を許可する。アイランド４、５上には、それぞれ発進制御装置８（８ａ、８ｂ）、路側表示器９（９ａ、９ｂ）、Ｉ/Ｆ集約部１０（１０ａ、１０ｂ）、および、アイランド分電盤１１（１１ａ、１１ｂ）などが配置される。さらに、レーン２、３には、無線装置１２（１２ａ、１２ｂ）および車両検知器Ｓ（Ｓ１（Ｓ１ａ、Ｓ１ｂ）、Ｓ２（Ｓ２ａ、Ｓ２ｂ）、Ｓ４（Ｓ４ａ、Ｓ４ｂ））が配置される。
【００１３】
発進制御装置８は、バー７を開閉する。発進制御装置８ａ（８ｂ）は、車線制御装置１３ａ（１３ｂ）からの指示に応じて、レーン２（３）に設けられたバー７ａ（７ｂ）を開閉する。路側表示器９は、レーン内の車両に乗車している人に対する案内などの情報を表示する。路側表示器９ａ（９ｂ）は、レーン２（３）内の車両に対して、料金収受の結果、又は通行の可否などの案内を表示する。
【００１４】
無線装置１２は、通信制御部および通信用のアンテナなどを備え、車両に搭載される車載器との無線通信を行う。無線装置１２は、設置されたレーン内の車両に搭載された車載器と無線通信する。無線装置１２は、対応するレーン内のみを通信範囲とする狭域無線通信（ＤＳＲＣ）を利用した無線通信によって、他のレーンを通行する車両の車載器とは通信しないように構成される。例えば、無線装置１２ａ（１２ｂ）は、レーン２（３）内に進入した車両の車載器と無線通信を行い、レーン３（２）内の車両の車載器とは通信しないように構成される。
【００１５】
車線制御装置１３は、各レーンを通行する車両に対する通行制御および料金収受などの処理を行う。例えば、料金収受処理において、車線制御装置１３は、無線装置１２を介してレーン内の車両に搭載された車載器から車載器情報および入口情報等の料金収受処理用の情報を取得し、取得した情報に基づいて料金収受を行う。また、車線制御装置１３は、各車両検知器Ｓによる車両の検知結果と料金収受の結果とに応じてバー７の開閉および路側表示器９による案内表示などの通行制御を行う。
【００１６】
なお、車載器には、料金収受処理用のＥＴＣカードと称されるＩＣカード（情報記録媒体）がセットされる。ＥＴＣカードは、たとえば、車載器情報（車両管理情報としての車両番号、車種情報、車載器固有情報としての車載器番号等）、入口情報、出口情報、課金情報などがメモリに記録される。車載器は、無線装置１２との無線通信を開始すると、ＥＴＣカードから読み出す情報を無線装置１２へ送信するようになっている。
【００１７】
車両検知器Ｓ（Ｓ１、Ｓ２、Ｓ４）は、レーン２、３内の車両を検知する。車両検知器Ｓは、レーンの所定位置における車両の有無を検知する。例えば、車両検知器Ｓ１はレーン（車線）内へ進入してきた車両を検知する。車両検知器Ｓ２は、レーンに進入した車両が無線通信による料金収受処理が可能なＥＴＣ車両として取扱できるかを判定するタイミングを検知する。なお、車両検知器Ｓ２で検知されるまでにＥＴＣ車両と認識されなかった車両に対しては、発券装置にて通行券の発券を行う。ＥＴＣ車両と認識されなかった車両に対して、通行券を発券した場合、当該車両のドライバーが通行券を受け取り、出口の料金所では通行券を用いて料金収受を行う。車両検知器Ｓ４は、レーンからの車両の退出を検知する。
【００１８】
Ｉ/Ｆ集約部１０は、各車線制御装置１３が対応するレーン用の各路側の機器と通信するためのインターフェースである。例えば、Ｉ/Ｆ集約部１０ａ（１０ｂ）は、アイランド４（５）に配置され、対応するレーン２（３）用の各機器と通信するためのインターフェースを集約したものである。  
アイランド分電盤１１は、対応するレーン用の各機器に電源電力を供給する。例えば、アイランド分電盤１１ａ（１１ｂ）は、アイランド４（５）に配置され、対応するレーン２（３）用の各路側機器に対して電力を供給する。
【００１９】
また、アイランド４には、車線制御装置１３（１３ａ、１３ｂ）、ＥＴＣ分電盤１４、および、伝送処理装置１５などを配置する機械室１６が設けられる。なお、機械室１６は、アイランド４上に設けられる構成に限定されるものではない。機械室１６は、各レーン２，３用の各機器に対して、電源及び制御信号を供給できる場所であればどこに設けても良い。
【００２０】
車線制御装置１３は、レーンごとに設けられる。車線制御装置１３は、各レーンを通行する車両に対する通行制御および料金収受などの処理を行う。すなわち、車線制御装置１３ａ（１３ｂ）は、レーン２（３）の発進制御装置８ａ（８ｂ）をはじめとする各レーン用の各路側機器の制御を行う。例えば、料金収受処理において、車線制御装置１３は、入口情報、出口情報、通行履歴情報等を作成し、無線装置１２を介して車載器へ送る。また、車線制御装置１３は、レーンを通行する車両に搭載された車載器から無線装置１２を介して受信する車載器情報および入口情報などの情報に基づき料金収受を行う。
【００２１】
ＥＴＣ分電盤１４は、各レーン用の各機器および機械室１６内の各機器に電源を供給する。ＥＴＣ分電盤１４は、外部電源からの電力を各機器へ供給する。  
伝送処理装置１５は、各料金所からの情報を管理する上位局としての中央装置３０とのデータ通信を行う。伝送処理装置１５は、車線制御装置１３からの料金収受結果を含む情報を中央装置３０へ転送する。
【００２２】
また、アイランド４、５には、係員又は車両の搭乗者による操作（手動操作）で料金収受を行うためのブース１８（１８ａ、１８ｂ）が設けられる。例えば、ブース１８ａ（１８ｂ）は、レーン２（３）に対して設けれ、手動操作に応じて料金収受を行なう料金収受機（料金所機器）１７（１７ａ、１７ｂ）が配置される。また、各ブース１８内には、ＩＣカードリーダ２３およびブース内表示器２４などの機器を配置しても良い。これらのブース１８内の機器についても、アイランド分電盤１１から電源供給を受け、Ｉ／Ｆ集約部１０を介して車線制御装置１３と通信可能となるように構成される。なお、レーンがＥＴＣ専用レーンである場合、ブース１８は設けなくて良い。
【００２３】
さらに、各レーンには、路側表示器９、撮像装置２１、車線監視制御盤２５、および、案内表示板２６なども設けられる。路側表示器９は、レーンを走行する車両の運転手に対し、徐行、停止、発進などの走行案内を案内（表示）する。また、路側表示器９は、レーンを走行する車両の運転手に対し課金情報などの案内を案内（表示）する。撮像装置２１は、レーンへの車両の進入時または退出時に車両の画像を撮影する。車線監視制御盤２５は、各レーンにおける車両の通行情報を示す情報を報知する。案内表示板２６は、各レーンの運用状況（ＥＴＣ専用、一般、或は、ＥＴＣと一般の混在、など）を表示する。案内表示板２６は、例えば、レーンの上部に設置され、料金所に差し掛かる車両に乗車している人物が表示内容を確認できるように設置される。
【００２４】
また、図２に示すように、車線制御装置１３には、保守作業を行う場合、各種の設定値を変更する場合、あるいは、ソフトウエアをインストールする場合、保守端末４０が接続される。保守端末４０は、ＰＣ等の端末機器で構成される。保守端末４０は、車線制御装置１３にＬＡＮ等の通信回線を介して接続する。例えば、保守端末４０は、車線制御装置１３の稼働状況表示、ファイルの入出力、および、車線制御装置１３に対する設定情報の変更等を実施する。本実施形態において、保守端末（装置）は、ファイル入出力機能により車線制御装置のソフトウエア的な改造に必要なデータ、および、プログラムのファイルを取り込み、車線制御装置１３にインストールする機能を有するものとする。
【００２５】
図３は、実施形態に係る保守端末４０の構成例を示すブロック図である。  
図３に示すように、保守端末４０は、プロセッサ４１、記憶部４２、インターフェース（Ｉ／Ｆ）４３、表示部４４および操作部４５などを有する。プロセッサ４１は、記憶部４２が記憶するプログラムを実行することにより各種の処理機能を実現する。例えば、プロセッサ４１は、記憶部４２が記憶するインストール用のプログラムを実行することにより抽出部およびインストール実行部として機能する。
【００２６】
記憶部４２は、プロセッサが実行するプログラムを記憶するプログラムメモリ、作業用のデータを記憶するワーキングメモリ、データファイルなどを記憶するデータメモリを有する。例えば、記憶部４２は、データメモリとして、ＨＤＤ（ハードディスクドライブ）或はＳＳＤ（ソリッドステートドライブ）などの書換え可能な不揮発性メモリを有する。
【００２７】
本実施形態に係る保守端末４０の記憶部４２は、後述するインストール処理を実行するためのプログラム（データインストール用のプログラム）を記憶している。プロセッサ４１は、記憶部４２が記憶するデータインストール用のプログラムを実行することによりインストール処理機能を実現する。また、記憶部４２は、各車線制御装置１３にインストールするファイル群（インストールすべきデータ）を記憶する。インストール用のファイルは、車線制御装置１３に適用する制御データおよびプログラムなどを格納したファイルであり、車線制御装置１３用の設定情報を格納した設定情報ファイルも含まれる。
【００２８】
インターフェース４３は、車線制御装置１３に接続するためのインターフェースである。インターフェース４３は、保守対象となる装置に接続できるものであれば良く、例えば、ＬＡＮ（ローカルエリアネットワーク）を介して車線制御装置１３に通信接続するためのインターフェースであっても良い。図３に示す構成例では、保守端末４０が接続される車線制御装置１３は、制御部５１、記憶部５２およびインターフェース５３を有する。保守端末４０のインターフェース４３は、通信回線を介して、車線制御装置１３のインターフェース５３に接続される。
【００２９】
表示部４４は、ディスプレイ装置により構成される。表示部４４は、プロセッサ４１からの表示制御に応じた表示内容を表示する。操作部４５は、キーボード、ポインティングデバイス、或は、タッチパネルなどで構成される。操作部４５は、指示入力された内容を示す情報をプロセッサ４１へ供給する。例えば、表示部４４及び操作部４５は、タッチパネルを有する表示装置により構成しても良い。
【００３０】
次に、保守端末４０による車線制御装置１３に対する改造（ソフトインストール）の処理について説明する。  
保守端末４０は、保守または改造を行う場合、保守または改造の対象となる車線制御装置１３に接続される。保守端末４０は、車線制御装置１３に接続した状態において、接続した車線制御装置１３への保守または改造の処理を実行する。
【００３１】
保守端末４０の記憶部４２は、車線制御装置１３にインストールすべき制御データおよびプログラムなどのデータを格納したインストール用の複数のファイル（インストールすべきデータ）を記憶する。インストール用のファイルは、各レーン（車線）の機器を制御する車線制御装置１３ごとに設定される。インストール用のファイルは、プログラムのデータや新規に追加される設定情報などのデータだけでなく、各レーンに対応する各種の制御用の設定値（車線情報、タイマ値、各機器の動作タイミング等）を含む設定情報が格納されているファイル（設定情報ファイル）を含む。
【００３２】
保守端末４０のプロセッサ４１は、記憶部４２が記憶するファイルをインストールする車線制御装置１３に接続した状態において、改造（データインストール）用のプログラムを起動させる。これにより、保守端末４０のプロセッサ４１は、記憶部４２が記憶するインストール用のファイルを順番に車線制御装置１３にインストールするインストール処理を実行する。
【００３３】
一般には、設定情報ファイルをインストールする場合、運用の変更などに伴って現行の設定情報から設定値が変更になる項目、および、追加される項目以外の設定項目は、現行の設定情報（現在値）とこれから更新される設定情報（更新値）とが同じである必要がある。更新値と現在値とが一致しない場合、インストール処理後に、車線制御装置１３が保守員の意図した通りに正しく動作しなくなる可能性がある。保守員が特定の設定項目について現地の状況に応じて設定値を変更している場合、このような変更内容が、車線制御装置１３に対するソフトインストールによる改造で使用する設定情報ファイルの設定値（更新値）に反映されていない場合が起こり得る。
【００３４】
例えば、バー開閉のタイミング、無線通信のタイミング、無線通信のリトライ回数、案内表示の内容及びタイミングなどの設定値は、設置される場所（料金所）の設置環境（レーン数、車両の交通量、渋滞状況など）や運用方針に応じて設定されることがある。このような設置環境や運用方針に応じて設定（変更）された設定値は、各料金所の保守員が状況に応じて設定した値であり、多くの料金所で共通の設定値とできないことが多い。このような設定値が保守員の意図に反した設定値に改変されると、保守員が最適化した運用が実現できなくなることもありうる。
【００３５】
本実施形態に係る保守端末は、上記のような設定値について、現在の設定値（現在値）がインストールされる設定情報ファイルに格納される設定値（更新値）によって、保守員又はインストール作業を行うインストール作業員（以下、作業員と称する）が確認することなく改変されることを防止する。また、本実施形態に係る保守端末は、更新値と現在値とが異なる場合には作業員が車線制御装置にインストールする設定値として更新値及び現在値の何れか一方を選択できるものである。
【００３６】
以下、保守端末４０による車線制御装置１３に対するソフトウエア（設定情報ファイルを含むファイル群）のインストール処理について説明する。  
図４乃至図７は、車線制御装置１３に対するソフトウエアのインストール処理の流れを説明するためのフローチャートである。また、図８乃至図１８は、インストール処理において保守端末４０の表示部４４が表示するインストール画面の表示例である。
【００３７】
まず、保守端末４０は、各車線制御装置１３にインストールする制御データおよびプログラムなどのファイル（インストールすべきデータ）を取込み、取込んだファイルを記憶部４２に記憶する（ＳＴ１０）。例えば、保守端末４０のプロセッサ４１は、インターフェース４３を介して接続する外部装置などからインストール用のファイルを取得し、記憶部４２にインストール用のファイルを記憶する。また、保守端末４０の記憶部４２は、後述するインストール処理を実行するためのプログラム（インストールプログラム）を記憶している。ここでは、保守端末４０の記憶部４２は、ある車線制御装置１３に適用すべきＭ個のインストール用のファイルを記憶しているものとする。
【００３８】
保守端末４０のプロセッサ４１は、インターフェース４３を介して車線制御装置１３に接続された状態において、インストールの開始を指示する釦を含む保守メニュー画面を表示部４４に表示し、操作部４５による当該車線制御装置１３に対するインストール処理の実行指示を受付ける。保守端末４０のプロセッサ４１は、車線制御装置１３へのインストールの実行指示を受けた場合、データインストール用のプログラムを起動させてインストール処理を開始する（ＳＴ１１、ＹＥＳ）。
【００３９】
インストール処理を開始すると、保守端末４０のプロセッサ４１は、変数Ｊを定義し、変数Ｊを初期化する（ＳＴ１２）。ここでは、変数Ｊの初期値が「０」であるものとし、プロセッサ４１は、変数Ｊの初期化としてＪ＝０とするものとする。変数Ｊを初期化した後、プロセッサ４１は、変数Ｊをインクリメント（Ｊ＝Ｊ＋１）する（ＳＴ１３）。変数Ｊをインクリメントした後、プロセッサ４１は、当該車線制御装置１３にインストールするＭ個のインストール用のファイルのうちＪ個目のファイルを読み込む（ＳＴ１４）。Ｊ個目のファイルを読み込むと、プロセッサ４１は、Ｊ個目のファイルが設定情報を格納した設定情報ファイル（設定値を含むデータ）であるか否かを判断する（ＳＴ１５）。
【００４０】
Ｊ個目のファイルが設定情報ファイルでないと判断した場合（ＳＴ１５、ＮＯ）、プロセッサ４１は、Ｊ個目のファイルを車線制御装置１３にインストールする処理を実行する（ＳＴ１６）。Ｊ個目のファイルのインストールが終了すると、プロセッサ４１は、変数ＪがＭであるか（Ｊ＝Ｍか）を判断する（ＳＴ１７）。Ｊ＝Ｍでないと判断した場合（ＳＴ１７、ＮＯ）、プロセッサ４１は、ＳＴ１３へ戻り、上述の処理を実行する。Ｊ＝Ｍであると判断した場合（ＳＴ１７、ＹＥＳ）、プロセッサ４１は、車線制御装置１３へのインストール処理を終了する。
【００４１】
また、Ｊ個目のファイルが設定情報ファイルであると判断した場合（ＳＴ１５、ＹＥＳ）、プロセッサ４１は、Ｊ個目のファイルとしての設定情報ファイルにおける各設定項目について、設定情報ファイルの設定値（更新値）と当該車線制御装置１３に現在設定されている設定値（現在値）とを比較し、両者に差異があるかを判断する（ＳＴ１８）。この比較結果に基づいて、プロセッサ４１は、設定情報ファイルによって新規に追加される設定項目以外の設定項目のうち更新値と設定値とに差異がある項目（差異項目）が存在するか否かを判断する（ＳＴ１９）。追加項目以外に差異がある項目が存在しないと判断した場合（ＳＴ１９、ＮＯ）、プロセッサ４１は、ＳＴ１７へ進み、当該設定情報ファイル（Ｊ個目のファイル）を車線制御装置１３にインストールする処理を実行する。
【００４２】
また、追加項目以外に差異がある設定項目（以下、差異項目と称する）が存在すると判断した場合（ＳＴ１９、ＹＥＳ）、プロセッサ４１は、変数Ｉを定義して初期化する（ＳＴ２０）。ここでは、変数Ｉの初期値を「１」とするものし、プロセッサ４１は、変数Ｉの初期化としてＩ＝１とする。変数Ｉを定義した後、プロセッサ４１は、インストールする設定情報のエラー（更新値と現在値との相違）を報知するインストール画面として、差異項目を一覧で表示する差異項目の一覧表示画面を作成し、表示部４４に表示する（ＳＴ３１）。
【００４３】
すなわち、更新値と現在値とが異なる設定項目（差異項目）があれば、プロセッサ４１は、Ｉページ目の差異項目の一覧表示画面を作成し、表示部４４に表示する。例えば、変数Ｉを初期化した直後はＩ＝１であるから、プロセッサ４１は、１ページ目の差異項目の一覧表示画面上に表示可能な件数分の項目を抽出した差異項目から抽出する。
【００４４】
ここで、差異項目の総数をＡとし、１ページ分の差異項目の一覧表示画面に表示可能な項目数をＢとすれば、差異項目の一覧表示画面の最終ページＮは、Ｎ＝（Ａ−１）／Ｂ＋１と定義できる。この場合、プロセッサ４１は、Ｉページ目の差異項目の一覧表示画面に表示する差異項目が、Ａ個の差異項目のうち、（Ｉ−１）×Ｂ＋１個目からＩ×Ｂ個目までの項目であると判断できる。
【００４５】
また、プロセッサ４１は、差異項目の一覧表示画面において、各差異項目について更新値および現在値のどちらが選択状態であるか色で表示するものとする。例えば、デフォルト設定で適用される設定値が更新値である場合、プロセッサ４１は、各差異項目について更新値の表示部位を選択状態であることを示す色に表示する。また、プロセッサ４１は、特定の差異項目について現在値が選択指示されると、当該項目の現在値の表示部位を選択状態であることを示す色で表示し、更新値の表示部位を非選択状態であることを示す色で表示する。すなわち、差異項目の一覧表示画面は、差異項目を表示するだけでなく、設定値として更新値又は現在値の何れかを作業員が選択指示するための設定値の選択画面でもある。
【００４６】
また、プロセッサ４１は、差異項目の一覧表示画面において、差異項目の一覧とともに、終了釦、次ページ釦、前ページ釦を選択的に表示する（ＳＴ３２−ＳＴ３６）。ここで、終了釦は、差異項目の一覧表示画面における、設定値の選択終了を作業員が指示するための釦である。次ページ釦は、差異項目の一覧表示画面を次ページに遷移させることを作業員が指示するための釦である。前ページ釦は、差異項目の一覧表示画面を前ページに遷移させることを作業員が指示するための釦である。
【００４７】
すなわち、終了釦は差異項目の一覧表示画面の表示終了を指示する釦であるから、プロセッサ４１は、差異項目があれば差異項目数および変数Ｉの値によらず、差異項目の一覧表示画面に終了釦を表示する（ＳＴ３２）。  
また、次ページ釦は差異項目の一覧表示画面を次ページに遷移させる釦であるから、プロセッサ４１は、表示している差異項目の一覧表示画面に次ページがあるかを判断する（ＳＴ３３）。例えば、プロセッサ４１は、変数Ｉの値（現在のページ）と差異項目数とに基づいて次のページ（Ｉ＋１ページ）として表示すべき差異項目があるかを判断する。次ページが有ると判断した場合（ＳＴ３３、ＹＥＳ）、プロセッサ４１は、次ページ釦を表示する（ＳＴ３４）。次ページが無いと判断した場合（ＳＴ３３、ＮＯ）、プロセッサ４１は、次ページ釦の表示を省略する。
【００４８】
また、前ページ釦は差異項目の一覧表示画面を前ページに遷移させる釦であるから、プロセッサ４１は、表示している差異項目の一覧表示画面のページが１ページ目以外であるかを判断する（ＳＴ３５）。例えば、プロセッサ４１は、変数Ｉの値が１（現在のページが１ページ目）であるか否かに基づいて前ページ（Ｉ−１ページ）として表示すべき差異項目があるかを判断する（ＳＴ３５）。前ページが有ると判断した場合（ＳＴ３５、ＹＥＳ）、プロセッサ４１は、前ページ釦を表示する（ＳＴ３６）。前ページが無いと判断した場合（ＳＴ３５、ＮＯ）、プロセッサ４１は、前ページ釦の表示を省略する。
【００４９】
図８は、インストール画面の第１の表示例としての、更新値と現在値との相違を報知する差異項目の一覧表示画面の第１表示例であり、図９は、インストール画面の第２の表示例としての、差異項目の一覧表示画面の第２表示例である。図８は、１ページ目の差異項目の一覧表示画面の表示例を示している。図８に示す表示例において、差異項目の一覧表示画面は、１ページ目に表示する各差異項目について、項目名、更新値および現在値を表示する。図９は、２ページ目の差異項目の一覧表示画面の表示例を示している。図９に示す表示例において、差異項目の一覧表示画面は、２ページ目に表示する各差異項目について、項目名、更新値および現在値を表示する。
【００５０】
図８及び図９に示すような差異項目の一覧表示画面において、更新値の表示部位は更新値を作業員が選択指示する釦でもあり、現在値の表示部位は現在値を作業員が選択指示する釦でもある。また、各差異項目については、更新値の表示部位、又は、現在値の表示部位の何れか一方が、選択状態であることを示す表示状態（図８及び図９に示す例では、所定色）で表示される。作業員が選択指示していない設定項目については、デフォルト設定で適用（設定）される方の設定値が選択状態となる。
【００５１】
例えば、デフォルト設定で適用（インストール）される設定値が更新値である場合、作業員が現在値の表示部位を選択指示する差異項目以外は、更新値の表示部位が選択状態であることを示す色で表示される。この場合、図８に示す表示例において、作業員が「Ｃタイマ」の現在値が選択指示されると、表示部４４は、「Ｃタイマ」の設定として、現在値の表示部位を選択状態であることを示す色で表示し、更新値の表示部位を非選択状態であることを示す色で表示する。
【００５２】
また、図８に示す表示例では、差異項目の一覧の下側に、終了釦と次ページ釦とが表示される。作業員は、差異項目に対する設定値の選択終了を指示する場合には終了釦を指示し、差異項目の一覧表示画面を次ページに遷移させる場合には次ページ釦を指示する。図９に示す表示例では、差異項目の一覧の下側に、終了釦と次ページ釦と前ページ釦とが表示される。作業員は、表示している差異項目の一覧表示画面を前ページに遷移させる場合には前ページ釦を指示する。
【００５３】
ＳＴ３１−３６の処理によってIページ目の差異項目の一覧表示画面を表示部４４に表示すると、プロセッサ４１は、操作部４５を用いた、設定値の選択指示、および、各釦の選択指示を受付ける。すなわち、表示部４４に差異項目の一覧表示画面を表示した状態において、インストール作業を行う作業員は、操作部４５を用いて、設定値（更新値又は現在値）の選択、および、各釦の選択が指示できる。
【００５４】
すなわち、設定値の選択指示として、プロセッサ４１は、表示部４４が表示する各差異項目について、現在値の表示部位、又は、更新値の表示部位への指示を受付ける（ＳＴ３７）。操作部４５を用いて、現在値の表示部位又は更新値の表示部位の何れかが指示された場合（ＳＴ３７、ＹＥＳ）、プロセッサ４１は、指示された方の設定値を選択状態であることを示す表示状態（第１の表示状態）で表示し、他方の設定値を非選択状態であることを示す表示状態（第２の表示状態）で表示させる（ＳＴ３８）。例えば、ある設定項目に対応する現在値の表示部位が指示された場合、プロセッサ４１は、指示された現在値を第１の表示状態（例えば、第１の色）で表示し、当該設定項目に対応する更新値を第２の表示状態（例えば、第１の色とは異なる第２の色）で表示させる。
【００５５】
また、次ページ釦が指示された場合（ＳＴ３９、ＹＥＳ）、プロセッサ４１は、変数Iの値をＩ＝Ｉ＋１とし（ＳＴ４０）、上記ＳＴ３１へ進み、次ページの差異項目の一覧表示画面を表示部４４に表示する。また、前ページ釦が指示された場合（ＳＴ４１、ＹＥＳ）、プロセッサ４１は、変数Iの値をＩ＝Ｉ−１とし（ＳＴ４２）、上記ＳＴ３１へ進み、前ページの差異項目の一覧表示画面を表示部４４に表示する。すなわち、プロセッサ４１は、作業員が操作部４５によって次ページ釦を指示すると、表示部４４が表示する画面を次ページに遷移させ、作業員が操作部４５によって前ページ釦を指示すると、表示部４４が表示する画面を前ページ釦に遷移させる。
【００５６】
また、終了釦が指示された場合（ＳＴ４３、ＹＥＳ）、プロセッサ４１は、設定情報ファイルをインストールする際の設定値を確定させる処理（設定確定処理）を行う。本実施形態においては、最終ページを表示した場合には全差異項目に対する選択（確認）が完了したものとし、最終ページを表示していない場合には全差異項目に対する選択（確認）が未完了であるものとする。終了釦への指示に応じた設定確定処理は、例えば、図６及び図７に示す流れで実施される。
【００５７】
すなわち、差異項目の一覧表示画面（設定値の選択画面）における終了釦が指示された場合（ＳＴ４３、ＹＥＳ）、プロセッサ４１は、差異項目の一覧表示画面の最終ページが表示済みであるか否かを判断する（ＳＴ５１）。最終ページが表示済みでないと判断した場合（ＳＴ５１、ＮＯ）、プロセッサ４１は、表示していない差異項目が存在する旨の案内とともに、選択終了の確認画面を表示する（ＳＴ５２）。例えば、プロセッサ４１は、選択終了の確認画面において、設定値の選択の終了（差異項目の確認終了）を指示する選択終了釦と設定値の選択に戻ることを指示する戻る釦とを表示する。
【００５８】
図１０は、インストール画面の第３の表示例としての、選択終了の確認画面の表示例である。  
図１０に示す表示例によれば、表示部４４は、「次ページ以降にも差異がありますが選択を終了しますか。」という案内と共に、ＯＫ（終了）釦とキャンセル（戻る）釦とを表示する。ＯＫ釦は、設定値の選択終了を指示する選択終了釦である。キャンセル釦は、設定値の選択画面、つまり、差異項目の一覧表示画面に戻ることを指示する釦である。
【００５９】
プロセッサ４１は、選択終了の確認画面において戻る釦が指示された場合（ＳＴ５３、ＮＯ）、設定値の選択処理（差異項目の一覧表示画面の表示）へ戻る。また、プロセッサ４１は、選択終了の確認画面において選択終了釦が指示された場合、つまり、設定値の選択終了の確認が指示された場合（ＳＴ５３、ＹＥＳ）、インストールする設定値を確定する処理へ進む。
【００６０】
設定値の選択終了の確認が指示された場合（ＳＴ５３、ＹＥＳ）、プロセッサ４１は、選択値釦、更新値釦、現在値釦、及び、戻る釦を含む確定指示画面を表示部４４に表示する（ＳＴ６１）。選択値釦は、選択（確認）された設定値（選択値）で設定情報ファイルのインストールを指示する釦である。更新値釦は、全ての差異項目を更新値（つまり、設定情報ファイルに格納されている設定値）で設定情報ファイルのインストールを指示する釦である。現在値釦は、全ての差異項目を現在値（つまり、車線制御装置１３に現時点で設定されている設定値）として設定情報ファイルのインストールを指示する釦である。戻る釦は、差異項目の一覧表示画面（設定値の選択画面）に戻ることを指示する釦である。
【００６１】
図１１は、インストール画面の第４の表示例としての設定する値の確定を指示するための確定指示画面の第１表示例である。  
図１１に示す表示例では、選択値釦、更新値釦、現在値釦、及び、戻る釦の各釦に対応づけて、各釦に対する案内が表示される。選択値釦については、設定情報を選択途中の選択値で設定する旨の案内が表示される。また、更新値釦については、設定情報を全て更新値で設定する旨の案内が表示される。また、現在値釦については、設定情報を全て現在値のまま（更新値で更新しない）とする旨の案内が表示される。また、戻る釦については、設定値の選択に戻る旨の案内が表示される。
【００６２】
確定指示画面における選択値釦が指示された場合（ＳＴ６２、ＹＥＳ）、プロセッサ４１は、選択（確認）された設定値（選択値）で設定情報ファイルのインストールを実行する（ＳＴ６３）。この場合、プロセッサ４１は、設定情報を選択値で更新する旨の案内と共にインストールを継続する旨の案内を表示部４４に表示する。例えば、図１２は、インストール画面の第５の表示例として、選択値で設定情報ファイルのインストールを継続する場合の案内表示の例を示す。
【００６３】
また、確定指示画面において更新値釦が指示された場合（ＳＴ６４、ＹＥＳ）、プロセッサ４１は、全ての差異項目を設定情報ファイルに格納されている設定値（更新値）で設定情報ファイルのインストールを実行する（ＳＴ６５）。この場合、プロセッサ４１は、全ての設定値を更新値として更新する旨の案内と共にインストールを継続する旨の案内を表示部４４に表示する。例えば、図１３は、インストール画面の第６の表示として、更新値で設定情報ファイルのインストールを継続する場合の案内表示の例を示す。
【００６４】
また、確定指示画面における現在値釦が指示された場合（ＳＴ６６、ＹＥＳ）、プロセッサ４１は、全ての差異項目を現在設定されている設定値（現在値）として設定情報ファイルのインストールを実行する（ＳＴ６７）。この場合、プロセッサ４１は、全ての設定値を現在値として更新する旨（更新値で更新しない旨）の案内と共にインストールを継続する旨の案内を表示部４４に表示する。例えば、図１４は、インストール画面の第７の表示例として、現在値のままで設定情報ファイルのインストールを継続する場合の案内表示の例を示す。  
また、確定指示画面において戻る釦が指示された場合（ＳＴ６８、ＹＥＳ）、プロセッサ４１は、ＳＴ３１へ戻り、設定値の選択画面としての差異項目の一覧表示画面を表示部４４に表示させる。
【００６５】
差異項目の一覧表示画面の最終ページが表示済みであると判断した場合（ＳＴ５１、ＹＥＳ）、プロセッサ４１は、終了釦の指示に応じて、設定値の選択（確認）が完了した旨の案内と共に、選択値釦、更新値釦、現在値釦、及び、戻る釦を含む確定指示画面を表示部４４に表示する（ＳＴ７１）。選択値釦、更新値釦、現在値釦、及び、戻る釦は、上述したものと同様である。
【００６６】
すなわち、ＳＴ７１で表示した確定指示画面において選択値釦が指示された場合（ＳＴ７２、ＹＥＳ）、プロセッサ４１は、選択（確認）された設定値（選択値）で設定情報ファイルのインストールを実行する（ＳＴ７３）。また、確定指示画面において更新値釦が指示された場合（ＳＴ７４、ＹＥＳ）、プロセッサ４１は、全ての差異項目を設定情報ファイルに格納されている設定値（更新値）で設定情報ファイルのインストールを実行する（ＳＴ７５）。また、確定指示画面における現在値釦が指示された場合（ＳＴ７６、ＹＥＳ）、プロセッサ４１は、全ての差異項目を現在設定されている設定値（現在値）として設定情報ファイルのインストールを実行する（ＳＴ７７）。また、確定指示画面において戻る釦が指示された場合（ＳＴ７８、ＹＥＳ）、プロセッサ４１は、ＳＴ３１へ戻り、設定値の選択画面としての差異項目の一覧表示画面を表示部４４に表示させる。
【００６７】
なお、図１５は、インストール画面の第８の表示例として、差異項目の一覧表示画面の最終ページを表示した例を示す。図１６は、インストール画面の第９の表示例として、図１５に示す最終ページの差異項目の一覧表示画面上に確定指示画面を表示した例を示す。図１７は、インストール画面の第１０の表示例として、図１６に示す確定指示画面において選択釦が指示された場合に、選択値で設定情報ファイルのインストールを継続する旨の案内を表示した例を示す。また、図１８は、インストール画面の第１１の表示例として、各ファイルのインストール中に表示部４４に表示される例を示すものである。
【００６８】
上記のように、本実施形態に係る保守端末は、車線制御装置にインストールすべき設定情報ファイルが格納する更新値としての設定値と当該車線制御装置に既に記憶されている現在値としての設定値とを比較する。保守端末は、比較結果に基づいて更新値と現在値とに差異がある差異項目が存在すると判断した場合、差異項目を抽出し、抽出した差異項目を表示部に表示する。これにより、実施形態に係る保守端末では、現在値と更新値とが異なる場合には作業員の確認を促すことができ、現在値と異なる設定値での更新が作業員の確認無しで実行されないようにできる。この結果、ソフトウエアのインストールに伴って、意図しない設定戻りが起こらないようにする。
【００６９】
さらに、本実施形態に係る保守端末は、差異項目を表示部に表示した後、表示部に表示した差異項目について更新値および現在値の何れかを作業員が選択できるようにしたものである。これにより、実施形態に係る保守端末では、現在値と更新値とが異なる差異項目については、インストールする設定値を更新値とするか現在値とするかを作業員に選択させることができる。この結果、保守端末によるインストール処理を一旦中止して設定値を変更するような作業が不要で、作業員の意図する設定値でソフトウエアのインストール作業を行える。
【００７０】
また、実施形態に係る保守端末は、差異項目が存在する場合、各差異項目の確認を促すとともに、全て更新値の設定、または、全て現在値の設定などの一括の指示を受付ける。これにより、本実施形態によれば、インストール作業時に、差異項目が抽出された場合の作業員による作業負担を軽減できる。  
また、実施形態に係る保守端末は、差異項目が存在する場合、全ての差異項目の確認（表示）が完了していなければ、全ての差異項目の確認を作業員に促す案内を表示する。これにより、本実施形態によれば、多数の差異項目が存在する場合に、未確認の差異項目が存在する状態でのインストール作業の実行に対して注意喚起を行える。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…料金収受所（料金所）、８（８ａ、８ｂ）…発進制御機、９（９ａ、９ｂ）…路側表示器、１２（１２ａ、１２ｂ）…無線装置、１３（１３ａ、１３ｂ）…車線制御装置、４０…保守端末、４１…プロセッサ、４２…記憶部、４３…インターフェース、４４…表示部、４５…操作部。
【図１】
2018060358.tif 000003
【図２】
2018060358.tif 000004
【図３】
2018060358.tif 000005
【図４】
2018060358.tif 000006
【図５】
2018060358.tif 000007
【図６】
2018060358.tif 000008
【図７】
2018060358.tif 000009
【図８】
2018060358.tif 000010
【図９】
2018060358.tif 000011
【図１０】
2018060358.tif 000012
【図１１】
2018060358.tif 000013
【図１２】
2018060358.tif 000014
【図１３】
2018060358.tif 000015
【図１４】
2018060358.tif 000016
【図１５】
2018060358.tif 000017
【図１６】
2018060358.tif 000018
【図１７】
2018060358.tif 000019
【図１８】
2018060358.tif 000020